(57)【要約】【課題】様々な異なる個数及びアスペクト比の入力検出経路を有するコンピュータ入力域と共に用いることができるスケーラブルなコントローラを提供すること。【解決手段】一実施形態では、コンピュータ入力域(108)のためのスケーラブルコントローラ(102)は、複数の駆動信号パッド(104)、複数の信号検出パッド(106)、前記駆動信号パッド(104)及び前記信号検出パッド(106)のうちアクティブなものの指示を格納するプログラマブルメモリ(110)、及び１）前記駆動信号パッド(104)のうちのアクティブなものを駆動し、及び２）前記信号検出パッド(106)のうちのアクティブなものから読み出しを行うことにより、コンピュータ入力域(108)とのユーザ対話を識別する制御回路(116)を含む。【選択図】図１
2007066314.tif 000002
【特許請求の範囲】
【請求項１】
コンピュータ入力域(108)のためのスケーラブルコントローラ(102)であって、
複数の駆動信号パッド(104)と、
複数の信号検出パッド(106)と、
前記駆動信号パッド(104)及び前記信号検出パッド(106)のうちアクティブなものの１つ又は２つ以上の指示を格納するプログラマブルメモリ(110)と、
前記駆動信号パッド(104)及び前記信号検出パッド(106)のうちの前記アクティブなものに応じて生成された走査シーケンスに従って、i）前記駆動信号パッド(104)のうちのアクティブなものを駆動し、及びii）前記信号検出パッド(106)のうちのアクティブなものから読み出しを行うことにより、コンピュータ入力域(108)とのユーザ対話を識別する、走査制御回路(116)と
を含む、スケーラブルコントローラ(102)。
【請求項２】
外部コマンドインタフェイス(112)を更に含み、前記プログラマブルメモリ(110)が、該外部コマンドインタフェイス(112)を介してプログラミング可能なものである、請求項１に記載のスケーラブルコントローラ(102)。
【請求項３】
前記プログラマブルメモリ(110)が複数のレジスタを含み、前記駆動信号パッド(104)及び前記信号検出パッド(106)のうちアクティブなものの１つ又は２つ以上の前記指示が、前記複数のレジスタの複数のビットからなり、該複数のビットの各々が、前記駆動信号パッド(104)のうちの１つと前記信号検出パッド(106)のうちの１つとの対のアクティブ状態又は非アクティブ状態を示すものである、請求項１に記載のスケーラブルコントローラ(102)。
【請求項４】
外部コマンドインタフェイス(112)を更に含み、前記複数のレジスタが該外部コマンドインタフェイス(112)を介して書き込み可能なものである、請求項３に記載のスケーラブルコントローラ(102)。
【請求項５】
前記駆動信号パッド(104)及び前記信号検出パッド(106)の対が、前記コンピュータ入力域(108)の入力検出経路(120,122)の第１及び第２の互いに交差する組に対応する第１の組及び第２の組へと副分割され、前記走査制御回路(116)が、前記第１の組のアクティブな対を走査し次いで前記第２の組のアクティブな対を走査するように走査シーケンスを生成する、請求項１に記載のスケーラブルコントローラ(102)。
【請求項６】
i）前記駆動信号パッド(104)にアナログ駆動信号を生成し、ii）前記信号検出パッド(106)でアナログ検出信号を受信する、請求項１に記載のスケーラブルコントローラ(102)。
【請求項７】
i）前記駆動信号パッド(104)にディジタル制御信号を生成し、ii）前記信号検出パッド(106)でディジタル制御信号を受信する、請求項１に記載のスケーラブルコントローラ(102)。
【請求項８】
コンピュータ入力域(108)の制御方法(400)であって、
複数の駆動信号パッド(104)及び複数の信号検出パッド(106)を含むスケーラブルコントローラ(102)を配設し(402)、
前記駆動信号パッド(104)及び前記信号検出パッド(106)のサブセットをコンピュータ入力域(108)に結合し(404)、
前記コンピュータ入力域(108)に結合された前記スケーラブルコントローラの前記駆動信号パッド(104)及び前記信号検出パッド(106)の対を「アクティブ」なものとして指定するように前記スケーラブルコントローラ(102)のメモリ(110)をプログラミングする(406)、
という各ステップを含む、コンピュータ入力域(108)の制御方法(400)。
【請求項９】
前記スケーラブルコントローラ(102)の走査制御回路(116)をアクティブ化し、駆動信号パッド(104)及び信号検出パッド(106)のアクティブな対に応じて生成された走査シーケンスに従って、i）駆動信号パッド(104)のうちアクティブなものを駆動し、ii）信号検出パッド(106)のうちアクティブなものから読み出しを行うにより、コンピュータ入力域(108)とのユーザ対話を識別する、という各ステップを更に含む、請求項８に記載の方法(400)。
【請求項１０】
前記スケーラブルコントローラ(102)の前記メモリ(110)が、該メモリの複数のレジスタに維持されている複数のビットを書き込むことによりプログラミングされる、請求項８に記載の方法(400)。
【発明の詳細な説明】
【技術分野】
【０００１】
本発明は、コンピュータ入力域用のコントローラに関するものである。
【背景技術】
【０００２】
パーソナルコンピュータ、ＰＤＡ（パーソナルディジタルアシスタント）、ＡＴＭ（現金自動預け払い機）、及び携帯電話といったコンピュータシステムは、複数の態様で制御することが可能である。コンピュータシステムを制御するための１つの方法として、光学式（例えば赤外線）タッチパネルによるものが挙げられる。光学式タッチパネルは、100％の透明度とゼロ・タッチ力とを必要とする用途（例えば、液晶ディスプレイ（ＬＣＤ）用途）で特に有利なものである。
【０００３】
殆どの光学式タッチパネルは、互いに交差する複数の光学的な検出経路を含み、その各経路は、発光手段及び光検出器（発光器／検出器対と呼ばれることが多い）の間に形成される。異なる用途が、異なるサイズ、アスペクト比、及び解像度を有する光学式タッチパネルを必要とする場合には、光学式タッチパネルは、様々な個数およびアスペクト比の発光器／検出器対を用いて作製される。
【０００４】
一般に、様々な個数及びアスペクト比の発光器／検出器対を有する光学式タッチパネルは、様々なコントローラによってサポートされる。
【発明の開示】
【課題を解決するための手段】
【０００５】
一実施形態では、コンピュータ入力域のためのスケーラブルコントローラは、複数の駆動信号パッド、複数の信号検出パッド、プログラマブルメモリ、及び走査制御回路を含む。該プログラマブルメモリは、前記駆動信号パッド及び前記信号検出パッドのうちアクティブなものの１つ又は２つ以上の指示を格納する。前記走査制御回路は、前記駆動信号パッド及び前記信号検出パッドのうちの前記アクティブなものに応じて生成された走査シーケンスに従って、１）前記駆動信号パッドのうちのアクティブなものを駆動し、及び２）前記信号検出パッドのうちのアクティブなものから読み出しを行うことにより、コンピュータ入力域とのユーザ対話を識別する。
【０００６】
別の実施形態では、コンピュータ入力システムはコンピュータ入力域及びスケーラブルコントローラを含む。該スケーラブルコントローラは該コンピュータ入力域に接続され、及び、複数の駆動信号パッド、複数の信号検出パッド、プログラマブルメモリ、及び走査制御回路を含む。該プログラマブルメモリは、前記駆動信号パッド及び前記信号検出パッドのうちのアクティブなものの１つ又は２つ以上の指示を格納する。前記走査制御回路は、前記駆動信号パッド及び前記信号検出パッドのうちの前記アクティブなものに応じて生成された走査シーケンスに従って、１）前記駆動信号パッドのうちのアクティブなものを駆動し、及び２）前記信号検出パッドのうちのアクティブなものから読み出しを行うことにより、コンピュータ入力域とのユーザ対話を識別する。
【０００７】
更に別の実施形態では、コンピュータ入力域の制御方法は、複数の駆動信号パッド及び信号検出パッドを含むスケーラブルコントローラを提供することを含む。次いで、前記駆動信号パッド及び前記信号検出パッドのサブセットがコンピュータ入力域に結合され、前記スケーラブルコントローラのメモリが、前記コンピュータ入力域に結合された前記スケーラブルコントローラの駆動信号パッド及び信号検出パッドの対を「アクティブ」なものとして指定するようプログラミングされる。
【０００８】
他の実施形態もまた開示される。
【発明を実施するための最良の形態】
【０００９】
背景技術の欄で述べたように、様々な個数及びアスペクト比の発光器／検出器対を有する光学式タッチパネルは、一般に様々なコントローラによりサポートされるものである。しかし、光学式タッチパネルの設計者、製造者、及び販売者が、個数及びアスペクト比の発光器／検出器対を有する光学式タッチパネルを単一のコントローラを使用して制御することができれば、コストが一層低く抑えられることになる。このため、図１は、スケーラブルコントローラ102を含むコンピュータ入力システム100を示している。
【００１０】
該スケーラブルコントローラ102は、複数（Ｎ＋Ｍ個）の駆動信号パッド104と、複数（Ｎ＋Ｍ個）の信号検出パッド106とを含む。場合によっては、コントローラのパッド104,106のサブセットのみをコンピュータ入力域108（すなわちＱ＋Ｒ個のパッド（但しＮ≧ＱかつＭ≧Ｒ））に結合させることが可能である。しかし、コントローラ102の利点は、様々な異なる個数及びアスペクト比の入力検出経路を有するコンピュータ入力域と共に用いるよう該コントローラ102を構成することができる点にある。その結果として、該コントローラ102を異なる用途で用いる場合に、そのパッド104,106のうちの異なる個数のパッドをコンピュータ入力域に接続することが可能である。場合によっては、コントローラのパッド104,106の全てをコンピュータ入力域に接続することが可能である。
【００１１】
コントローラ102のプログラマブルメモリ110は、パッド104,106のうちの「アクティブ」なパッドの１つ又は２つ以上の指示を格納する。殆どの場合、パッド104,106のうちのアクティブなパッドは、該パッド104,106のうちコンピュータ入力域108に結合されたものとなる。
【００１２】
メモリ110は、様々な方法でプログラミングすることが可能である。一実施形態では、メモリ110は、コントローラ102の外部コマンドインタフェイス112（ＵＡＲＴ（Universal Asynchronous Receiver Transmitter）等）を介してプログラミングされる。例えば、メモリ110をプログラミングする装置をコンピュータ114とすることが可能であり、該コンピュータ114は、コントローラ102のコマンドインタフェイス112へのコンフィギュレーションコマンドの送信をコンピュータ114に行わせるソフトウェア（例えばソフトウェアドライバ）を実行することにより、メモリ110をプログラミングすることが可能である。
【００１３】
図２は、メモリ110の一実施形態200を示している。図示のように、メモリ200は、複数のレジスタ（例えば、X1,X2,Y1,Y2,Y3）を含み、その各レジスタは複数のビット（例えば、ビット0…7）を含む。一実施形態では、該ビットのうちの一部（例えば、内容「X」が指定されたもの）のみの状態が、コントローラのパッド104,106の何れがアクティブであるかの指示を提供する。また、同一の又は異なる実施形態において、レジスタX1,X2,Y1,Y2,Y3内のビットの各々（又は少なくともコントローラのパッド104,106の状態を示すために使用されているビット）は、一対の「１つの駆動信号パッド104及び１つの信号検出パッド106」のアクティブ状態又は非アクティブ状態を示すものとなる。それらレジスタには、コマンドインタフェイス114（図１）を介して書き込みを行うことが可能である。
【００１４】
コントローラ102は走査制御回路116を更に含む。メモリ110に格納されている１つ又は２つ以上の指示に応じて、該走査制御回路116は、１）前記駆動信号パッド104のうちのアクティブなものを駆動し、及び２）前記信号検出パッド106のうちのアクティブなものから読み出しを行うことにより、コンピュータ入力域108とのユーザによる対話を識別する。
【００１５】
一実施形態では、図１に示すように、コンピュータ入力域108は、光学式入力域118（光学式タッチパネル等）という形をとることが可能である。コンピュータ入力域108が光学式入力域118である場合には、該光学式入力域118は、複数の光学式検出経路（例えば経路120,122）を含むことが可能であり、その各経路は、複数の発光素子124のうちの１つと複数の光検出器126のうちの１つとの間（すなわち１つの発光器／検出器対間）に延びるものである。好適には、光学式検出経路120,122が副分割されて、第１の軸及び第２の軸に沿って配置された第１の組及び第２の組となる。このようにして、光学式検出経路120,122が交差するようになり、コントローラ102は、光学式入力域118とのユーザ対話の精確な位置を識別することができる。代替的な実施形態（図示せず）では、複数の光学式検出経路は、それら経路が交差しないよう構成することが可能である。かかる構成は、例えば、光学式入力域が一行又は一列内に配置された複数の選択領域からなる場合（５つの異なる数字からなる組み合わせのみを受容することができる鍵用のタッチパネルの場合等）に有用なものとなる。
【００１６】
コンピュータ入力域108は、第１及び第２の互いに交差する入力検出経路120,122の組を含み、複数組をなす駆動信号パッド及び信号検出パッド104,106を同様に第１及び第２の組へと副分割することが可能である。次いで、走査制御回路116は、一組のパッド（例えば対X0…X7）のアクティブな対の全てを走査し、次いで他の一組のパッド（例えば対Y0…Y9）のアクティブな対の全てを走査するように、走査シーケンスを生成することが可能である。
【００１７】
コントローラ102は、様々な態様で構成し、また様々な態様でコンピュータ入力域108に結合させることが可能である。図１では、コントローラ102は、駆動信号パッド104にアナログ駆動信号を生成する回路と、信号検出パッド106でアナログ検出信号を受信する回路とを含むものと仮定されている。この構成では、コントローラの駆動信号パッド104のうちのアクティブなものを、コンピュータ入力域108の発光素子124その他の信号生成要素に直接結合することが可能である。同様に、コントローラの信号検出パッド106を、コンピュータ入力域108の光検出器126その他の信号検出要素に直接結合することが可能である。
【００１８】
図３は、代替的なコントローラ302を示している。コントローラ102とは対照的に、該コントローラ302は、駆動信号パッド304にディジタル制御信号を生成する回路と、信号検出パッド306でディジタル制御信号を受信する回路とを含む。該コントローラ302をコンピュータ入力域308に結合するために、コンピュータ入力システム300は、コントローラ302とは別個に実施された１つ又は２つ以上のアナログ駆動回路310,312を含む。図３では、例示のため、アナログ駆動回路310は、複数の駆動信号パッド304のうちアクティブなものと、コンピュータ入力域308の発光素子314（又はその他の信号生成要素）との間に結合されている。駆動信号パッド304を介して受信したディジタル制御信号に応じて、アナログ駆動回路310は、コンピュータ入力域308の発光素子314（又はその他の信号生成要素）のためのアナログ駆動信号を生成する。
【００１９】
コンピュータ入力システム300はアナログ検出回路312も含む。該アナログ検出回路312は、コンピュータ入力域308の光検出器316（又はその他の信号検出要素）と、複数の信号検出パッド306のうちのアクティブなものとの間に結合される。コンピュータ入力域308の光検出器316（又はその他の信号検出要素）から受信したアナログ検出信号に応じて、該アナログ検出回路312は、信号検出パッド306のうちのアクティブなものへディジタル制御信号を提供する。
【００２０】
コンピュータ入力システム300の代替的な実施形態では、より多数又は少数のアナログ回路を配設することが可能である。例えば、パッド304,306の各々毎に又はパッド304,306の各サブセット毎に別個のアナログ回路を配設することが可能である。代替的に、アナログ駆動回路310及びアナログ検出回路312を組み合わせて単一の特定用途集積回路（ＡＳＩＣ）にすることが可能である。
【００２１】
例えば、コントローラ102,302は、マイクロプロセッサ又はＦＰＧＡ（Field-Programmable Gate Array）技術により実施することが可能である。
【００２２】
図４は、コンピュータ入力域を制御するための方法400の一例を示すフローチャートである。該方法400は、複数の駆動信号パッド及び複数の信号検出パッドを含むスケーラブルコントローラを配設するステップ402で始まる。次いで、該コントローラの駆動信号パッド及び信号検出パッドのサブセットがコンピュータ入力域に結合され（ステップ404）、該スケーラブルコントローラの駆動信号パッド及び信号検出パッドの対（すなわち、コンピュータ入力域に結合されたもの）を「アクティブ」に指定するよう該スケーラブルコントローラのメモリがプログラミングされる（ステップ406）。メモリのプログラミングは典型的にはコントローラがコンピュータ入力域に結合された後に行われることになるが、該プログラミングは場合によっては先行して（例えば、コントローラの製造又は構成時に）行うことが可能である。
【００２３】
随意選択的に、方法400は、スケーラブルコントローラの走査制御回路のアクティブ化408へと進むことが可能である。このように、駆動信号パッド及び信号検出パッドのアクティブな対に応じて生成された走査シーケンスに従って、１）駆動信号パッドのうちアクティブなものを駆動し、２）信号検出パッドのうちアクティブなものから読み出しを行うにより、コンピュータ入力域とのユーザ対話を識別することが可能である。
【００２４】
以下においては、本発明の種々の構成要件の組み合わせからなる例示的な実施形態を示す。
１．コンピュータ入力域のためのスケーラブルコントローラであって、
複数の駆動信号パッドと、
複数の信号検出パッドと、
前記駆動信号パッド及び前記信号検出パッドのうちアクティブなものの１つ又は２つ以上の指示を格納するプログラマブルメモリと、
前記駆動信号パッド及び前記信号検出パッドのうちの前記アクティブなものに応じて生成された走査シーケンスに従って、i）前記駆動信号パッドのうちのアクティブなものを駆動し、及びii）前記信号検出パッドのうちのアクティブなものから読み出しを行うことにより、コンピュータ入力域とのユーザ対話を識別する、走査制御回路と
を含む、スケーラブルコントローラ。
２．外部コマンドインタフェイスを更に含み、前記プログラマブルメモリが、該外部コマンドインタフェイスを介してプログラミング可能なものである、前項１に記載のスケーラブルコントローラ。
３．前記プログラマブルメモリが、複数のレジスタを含み、前記駆動信号パッド及び前記信号検出パッドのうちアクティブなものの１つ又は２つ以上の前記指示が、前記複数のレジスタの複数のビットからなり、該複数のビットの各々が、前記駆動信号パッドのうちの１つと前記信号検出パッドのうちの１つとの対のアクティブ状態又は非アクティブ状態を示すものである、前項１に記載のスケーラブルコントローラ。
４．外部コマンドインタフェイスを更に含み、前記複数のレジスタが、該外部コマンドインタフェイスを介して書き込み可能なものである、前項３に記載のスケーラブルコントローラ。
５．前記駆動信号パッド及び前記信号検出パッドの対が、前記コンピュータ入力域の入力検出経路の第１及び第２の互いに交差する組に対応する第１の組及び第２の組へと副分割され、前記走査制御回路が、前記第１の組のアクティブな対を走査し次いで前記第２の組のアクティブな対を走査するように走査シーケンスを生成する、前項１に記載のスケーラブルコントローラ。
６．i）前記駆動信号パッドにアナログ駆動信号を生成し、ii）前記信号検出パッドでアナログ検出信号を受信する、前項１に記載のスケーラブルコントローラ。
７．i）前記駆動信号パッドにディジタル制御信号を生成し、ii）前記信号検出パッドでディジタル制御信号を受信する、前項１に記載のスケーラブルコントローラ。
８．コンピュータ入力システムであって、
コンピュータ入力域と、
該コンピュータ入力域に結合されたスケーラブルコントローラであって、
複数の駆動信号パッドと、
複数の信号検出パッドと、
前記駆動信号パッド及び前記信号検出パッドのうちアクティブなものの１つ又は２つ以上の指示を格納するプログラマブルメモリと、
前記駆動信号パッド及び前記信号検出パッドのうちの前記アクティブなものに応じて生成された走査シーケンスに従って、i）前記駆動信号パッドのうちのアクティブなものを駆動し、及びii）前記信号検出パッドのうちのアクティブなものから読み出しを行うことにより、前記コンピュータ入力域とのユーザ対話を識別する、走査制御回路と
を含む、スケーラブルコントローラと
を含む、コンピュータ入力システム。
９．前記コンピュータ入力域が光学式入力域である、前項８に記載のコンピュータ入力システム。
１０．前記コンピュータ入力域が発光素子及び光検出器の対を含み、
前記スケーラブルコントローラの前記駆動信号パッドのうちの前記アクティブなものが前記発光素子に結合されており、
前記スケーラブルコントローラの前記信号検出パッドのうちの前記アクティブなものが前記光検出器に結合されている、
前項９に記載のコンピュータ入力システム。
１１．前記コンピュータ入力域が発光素子及び光検出器の対を含み、
該コンピュータ入力システムが更に、
少なくとも１つのアナログ駆動回路であって、前記スケーラブルコントローラの前記駆動信号パッドのうちのアクティブなものと前記発光素子との間に結合され、前記駆動信号パッドのうちのアクティブなものから受信したディジタル制御信号に応じて前記発光素子のためのアナログ駆動信号を生成する、少なくとも１つのアナログ駆動回路と、
少なくとも１つのアナログ検出回路であって、前記光検出器と前記信号検出パッドのうちのアクティブなものとの間に結合され、前記光検出器から受信したアナログ検出信号に応じて前記信号検出パッドのうちのアクティブなものへディジタル制御信号を提供する、少なくとも１つのアナログ検出回路と
を含む、前項９に記載のコンピュータ入力システム。
１２．前記コンピュータ入力域が光学式タッチパネルである、前項８に記載のコンピュータ入力システム。
１３．前記スケーラブルコントローラが更に外部コマンドインタフェイスを含み、前記プログラマブルメモリが、該外部コマンドインタフェイスを介してプログラム可能なものである、前項８に記載のコンピュータ入力システム。
１４．前記スケーラブルコントローラの前記プログラマブルメモリが、複数のレジスタを含み、前記駆動信号パッド及び前記信号検出パッドのうちアクティブなものの１つ又は２つ以上の前記指示が、前記複数のレジスタの複数のビットからなり、該複数のビットの各々が、前記駆動信号パッドのうちの１つと前記信号検出パッドのうちの１つとの対のアクティブ状態又は非アクティブ状態を示すものである、前項８に記載のコンピュータ入力システム。
１５．前記スケーラブルコントローラが外部コマンドインタフェイスを更に含み、前記複数のレジスタが該外部コマンドインタフェイスを介して書き込み可能なものである、前項１４に記載のコンピュータ入力システム。
１６．前記駆動信号パッド及び前記信号検出パッドの対が、前記コンピュータ入力域の入力検出経路の第１及び第２の互いに交差する組に対応する第１の組及び第２の組へと副分割され、前記走査制御回路が、前記第１の組のアクティブな対を走査し次いで前記第２の組のアクティブな対を走査するように走査シーケンスを生成する、前項８に記載のコンピュータ入力システム。
１７．コンピュータ入力域の制御方法であって、
複数の駆動信号パッド及び複数の信号検出パッドを含むスケーラブルコントローラを配設し、
前記駆動信号パッド及び前記信号検出パッドのサブセットをコンピュータ入力域に結合し、
前記コンピュータ入力域に結合された前記スケーラブルコントローラの前記駆動信号パッド及び前記信号検出パッドの対を「アクティブ」なものとして指定するように前記スケーラブルコントローラのメモリをプログラミングする、
という各ステップを含む、コンピュータ入力域の制御方法。
１８．前記スケーラブルコントローラの走査制御回路をアクティブ化し、駆動信号パッド及び信号検出パッドのアクティブな対に応じて生成された走査シーケンスに従って、i）駆動信号パッドのうちアクティブなものを駆動し、ii）信号検出パッドのうちアクティブなものから読み出しを行うにより、コンピュータ入力域とのユーザ対話を識別する、という各ステップを更に含む、前項１７に記載の方法。
１９．前記スケーラブルコントローラの前記メモリに外部コマンドインタフェイスを介して書き込みを行うことにより該メモリをプログラミングする、前項１７に記載の方法。
２０．前記スケーラブルコントローラの前記メモリが、該メモリの複数のレジスタに維持されている複数のビットを書き込むことによりプログラミングされる、前項１７に記載の方法。
２１．前記コンピュータ入力域及び前記スケーラブルコントローラが接続されたコンピュータシステムのソフトウェアを介して該スケーラブルコントローラの前記メモリがプログラミングされる、前項１７に記載の方法。
【図面の簡単な説明】
【００２５】
【図１】スケーラブルコントローラを含む第１の例示的なコンピュータ入力システムを示す説明図である。
【図２】図１のコントローラのプログラマブルメモリの一実施形態を示す説明図である。
【図３】スケーラブルコントローラを含む第２の例示的なコンピュータ入力システムを示す説明図である。
【図４】図１及び図３に示すようなコンピュータ入力域を制御するための方法の一例を示すフローチャートである。
【符号の説明】
【００２６】
100  コンピュータ入力システム
102  スケーラブルコントローラ
104  駆動信号パッド
106  信号検出パッド
108  コンピュータ入力域
110  プログラマブルメモリ
112  外部コマンドインタフェイス
114  コンピュータ
【図１】
2007066314.tif 000003
【図２】
2007066314.tif 000004
【図３】
2007066314.tif 000005
【図４】
2007066314.tif 000006